(57)【要約】【課題】熱中症や脱水症を効果的に防ぐことができる体調管理システムを提供する。【解決手段】生体情報を取得するセンサを備える作業者２０１の異常を検知する異常検知装置１１と、異常検知装置１１と通信可能に接続する管理サーバー３１と、管理サーバー３１と通信可能に接続する管理者端末５１、作業責任者端末６１、作業者携帯端末７１と、を備え、異常検知装置１１は、作業者２０１の身体が異常であると判定すると警報を発すると共に、異常判定結果等を管理サーバー３１に自動送信し、管理サーバー３１は、異常判定結果等を受信するとこれらを直ちに管理者端末５１、作業責任者端末６１に自動送信し、さらに管理サーバー３１は、定期的に作業者携帯端末７１に体調確認メールを自動送信し、所定時間内に返信メールを受信しなかったときは、作業者２０１の身体が異常であると判定し、その旨を管理者端末５１、作業責任者端末６１に自動送信する。【選択図】図１
2019208926.tif 000002
【特許請求の範囲】
【請求項１】
生体情報を取得するセンサと、生体情報に基づき身体の異常の有無を判定する判定手段と、前記判定手段の異常判定結果に基づき警報を発する警報手段と、異常判定結果を送信可能な通信手段と、位置情報取得手段とを備える作業者の異常を検知する異常検知装置と、
前記異常検知装置と通信可能に接続する管理サーバーと、
前記管理サーバーと通信可能に接続する管理者端末及び／又は作業責任者端末と、
前記管理サーバーと通信可能に接続する作業者携帯端末と、
を備え、
前記異常検知装置は、前記作業者の身体が異常であると判定すると前記警報手段を介して警報を発すると共に、異常判定結果及び作業者の位置情報を前記管理サーバーに自動送信し、
前記管理サーバーは、異常判定結果及び作業者の位置情報を受信するとこれらを直ちに前記管理者端末及び／又は作業責任者端末に自動送信し、
さらに前記管理サーバーは、定期的に前記作業者携帯端末に体調確認メールを自動送信し、予め定められた時間内に前記作業者携帯端末から返信メールを受信しなかったときは、作業者の身体が異常であると判断し、作業者の身体が異常であること及び作業者の位置情報を前記管理者端末及び／又は作業責任者端末に自動送信し、
前記管理者端末及び／又は作業責任者端末は、報知手段を備え、前記管理サーバーからのデータを受信すると受信したことを前記報知手段を介して直ちに管理者及び／又は作業責任者に報知することを特徴とする体調管理システム。
【請求項２】
複数の作業者が共同で作業を行う現場において、
前記管理サーバーは、
同じ日時に同じ場所で作業する複数の前記作業者をグループ化し、グループを構成する作業員に対して一斉に体調確認メールを自動送信し、
前記グループを構成する作業員に対する体調確認メールには、グループを構成する作業員全員の体調に異常がないことを返信するためのグループ返信メールを添付し、
前記グループを構成する作業員の一人から前記グループ返信メールを受信すると、グループを構成する他の作業員からも体調に異常がない旨の返信メールを受領したものとして取り扱うことを特徴とする請求項１に記載の体調管理システム。
【請求項３】
前記異常検知装置に代えて、
異常検知装置は、生体情報を取得するセンサと、生体情報に基づき身体の異常の有無を判定する判定手段と、前記判定手段の異常判定結果に基づき警報を発する警報手段と、異常判定結果を送信可能な通信手段と、を備え、
該異常検知装置は、前記作業者の身体が異常であると判定すると前記警報手段を介して警報を発すると共に、異常判定結果を前記作業者携帯端末に送信し、
前記作業者携帯端末は、位置情報取得手段を備え、前記異常判定結果を受信すると直ちに異常判定結果及び作業者の位置情報を前記管理サーバーに自動送信することを特徴とする請求項１又は請求項２に記載の体調管理システム。
【請求項４】
前記生体情報が体内水分量、体温、生体インピーダンス、脈拍、血圧、心拍数、発汗量の一種以上であることを特徴とする請求項１から３のいずれか１項に記載の体調管理システム。
【発明の詳細な説明】
【技術分野】
【０００１】
本発明は、現場作業者などが熱中症や脱水症になることを防ぐ体調管理システムに関する。
【背景技術】
【０００２】
夏場の屋外作業、換気の悪い場所における作業では熱中症や脱水症となり易い。熱中症や脱水症は、初期の段階では自覚がないためそれに気付くのが遅れ重症化することがある。熱中症や脱水症を防ぐための装置として、熱中症等に関しては、危険度を表示すると共にアラームでそれを報知する製品がある。脱水症に関しても生体電気インピーダンス値を測定し脱水状態を判定する装置、体内水分を測定可能な体内水分計がある（例えば特許文献１、特許文献２参照）。
【０００３】
また熱中症等の予防対策として、センサを介して作業者の体温、心拍数を計測し、そのデータを外部コンピュータに送り、外部コンピュータが異常か否かを判定し、異常と判断した場合に作業者に休憩指示を出すシステムもある（例えば特許文献３参照）。
【０００４】
また作業者が携帯し、その作業者の身体の異常を検知する異常検知装置と、異常検知装置とデータを通信可能に接続する管理装置とでシステムを構成し、異常検知装置が身体の異常を検知すると作業者に異常を報知すると共に、管理装置にその異常を通知する異常検知システムもある（例えば特許文献４参照）。
【先行技術文献】
【特許文献】
【０００５】
【特許文献１】特開２００２−３４９４６号公報
【特許文献２】特開２０１３−１９２６５０号公報
【特許文献３】特開２００９−１０８４５１号公報
【特許文献４】特開２０１２−２７８９３号公報
【発明の概要】
【発明が解決しようとする課題】
【０００６】
上記特許文献に記載の管理システムを始め、作業者の熱中症や脱水症を予防するシステムは、これまでにいくつか提案されているが、作業者は、熱中症や脱水症を軽く考え、警報や警告を無視し作業を継続し症状を悪化させる場合がある。さらに夢中で作業を行っている場合には、熱中症や脱水症となっても本人がそれに気付くのが遅れ重症化することもある。このため熱中症や脱水症を予防するシステムは、２重、３重の予防対策を備えることが望ましい。
【０００７】
本発明の目的は、熱中症や脱水症を効果的に防ぐことができる体調管理システムを提供することである。
【課題を解決するための手段】
【０００８】
本発明は、生体情報を取得するセンサと、生体情報に基づき身体の異常の有無を判定する判定手段と、前記判定手段の異常判定結果に基づき警報を発する警報手段と、異常判定結果を送信可能な通信手段と、位置情報取得手段とを備える作業者の異常を検知する異常検知装置と、前記異常検知装置と通信可能に接続する管理サーバーと、前記管理サーバーと通信可能に接続する管理者端末及び／又は作業責任者端末と、前記管理サーバーと通信可能に接続する作業者携帯端末と、を備え、前記異常検知装置は、前記作業者の身体が異常であると判定すると前記警報手段を介して警報を発すると共に、異常判定結果及び作業者の位置情報を前記管理サーバーに自動送信し、前記管理サーバーは、異常判定結果及び作業者の位置情報を受信するとこれらを直ちに前記管理者端末及び／又は作業責任者端末に自動送信し、さらに前記管理サーバーは、定期的に前記作業者携帯端末に体調確認メールを自動送信し、予め定められた時間内に前記作業者携帯端末から返信メールを受信しなかったときは、作業者の身体が異常であると判断し、作業者の身体が異常であること及び作業者の位置情報を前記管理者端末及び／又は作業責任者端末に自動送信し、前記管理者端末及び／又は作業責任者端末は、報知手段を備え、前記管理サーバーからのデータを受信すると受信したことを前記報知手段を介して直ちに管理者及び／又は作業責任者に報知することを特徴とする体調管理システムである。
【０００９】
本発明の体調管理システムは、１例として複数の作業者が共同で作業を行う現場において、前記管理サーバーは、同じ日時に同じ場所で作業する複数の前記作業者をグループ化し、グループを構成する作業員に対して一斉に体調確認メールを自動送信し、前記グループを構成する作業員に対する体調確認メールには、グループを構成する作業員全員の体調に異常がないことを返信するための個人返信メールとグループ返信メールを添付し、前記グループを構成する作業員の一人から前記グループ個人返信メールとグループ返信メールを受信すると、グループを構成する他の作業員からも体調に異常がない旨の返信メールを受領したものとして取り扱うことを特徴とする。
【００１０】
また本発明の体調管理システムは、前記異常検知装置に代えて、異常検知装置は、生体情報を取得するセンサと、生体情報に基づき身体の異常の有無を判定する判定手段と、前記判定手段の異常判定結果に基づき警報を発する警報手段と、異常判定結果を送信可能な通信手段と、を備え、該異常検知装置は、前記作業者の身体が異常であると判定すると前記警報手段を介して警報を発すると共に、異常判定結果を前記作業者携帯端末に送信し、前記作業者携帯端末は、位置情報取得手段を備え、前記異常判定結果を受信すると直ちに異常判定結果及び作業者の位置情報を前記管理サーバーに自動送信することを特徴とする。
【００１１】
また本発明の体調管理システムは、前記生体情報が体内水分量、体温、生体インピーダンス、脈拍、血圧、心拍数、発汗量の一種以上であることを特徴とする。
【発明の効果】
【００１２】
本発明によれば、熱中症や脱水症を効果的に防ぐことができる体調管理システムを提供することができる。
【図面の簡単な説明】
【００１３】
【図１】本発明の第１実施形態の体調管理システム１の構成を示す模式図である。
【図２】本発明の第１実施形態の体調管理システム１で使用する異常検知装置１１の外観図及び機能構成図である。
【図３】本発明の第１実施形態の体調管理システム１で使用する管理サーバー３１の機能構成図及び管理サーバー３１が備えるメールひな型の一例である。
【図４】本発明の第１実施形態の体調管理システム１で使用する管理サーバー３１が備えるデータベースの一例である。
【図５】本発明の第１実施形態の体調管理システム１の処理の流れを示すフローチャートである。
【図６】本発明の第２実施形態の体調管理システム２の構成を示す模式図である。
【図７】本発明の第２実施形態の体調管理システム２で使用する管理サーバー３１が備えるデータベースの一例である。
【図８】本発明の第２実施形態の体調管理システム２で使用するメールひな型の一例である。
【図９】本発明の第２実施形態の体調管理システム２の処理の流れを示すフローチャートである。
【発明を実施するための形態】
【００１４】
図１は、本発明の第１実施形態の体調管理システム１の構成を示す模式図である。図２（Ａ）、（Ｂ）は、体調管理システム１で使用する異常検知装置１１の外観図、図２（Ｃ）は、体調管理システム１で使用する異常検知装置１１の機能構成図である。図３（Ａ）は、体調管理システム１で使用する管理サーバー３１の機能構成図、図３（Ｂ）は、体調管理システム１で使用する管理サーバー３１が備えるメールひな形の一例である。図４は、体調管理システム１で使用する管理サーバー３１が備えるデータベースの一例である。
【００１５】
本発明の第１実施形態の体調管理システム１は、夏場の屋外などで作業を行う作業者２０１の体調を管理するシステムであり、作業者２０１の身体の異常を検知する異常検知装置１１と、データを管理、処理する管理サーバー３１と、管理者２１１が管理する管理者端末５１と、作業責任者２２１が管理する作業責任者端末６１と、作業者２０１が所持する作業者携帯端末７１とを含む。
【００１６】
本実施形態に示す異常検知装置１１は、腕時計タイプの装置であり作業者２０１の腕に装着して使用する。異常検知装置１１は、本体１５と本体１５に連結するバンド１６とを有し、本体１５には、筐体１７の前面にデータ等を入力するボタン２２、データ等を表示するディスプレイ２３、筐体１７の側面にスイッチ２９が設けられ（図２（Ａ）参照）、筐体１７の裏面に作業者２０１の生体情報を取得するセンサ２０が設けられている（図２（Ｂ）参照）。筐体１７の内部には、異常判定等を行うＣＰＵ（図示省略）、メモリ（図示省略）、その他身体の異常を知らしめるブザー２５を収容する。
【００１７】
異常検知装置１１は、機能的には、生体情報を取得するセンサ２０と、データ等の入力を行う入力手段２２と、結果等を表示する出力手段２３と、センサ２０が取得する生体情報に基づき身体の異常の有無を判定する判定手段２４と、判定手段２４が異常の判定をするとそれに基づき作業者２０１に警報を発する警報手段２５、判定手段２４が異常と判定するとその結果を管理サーバー３１に送信する通信手段２６と、位置情報を取得する位置情報取得手段２７と、各手段の動作を制御する制御手段２８を備える。
【００１８】
センサ２０は、異常検知装置１１を作業者２０１の腕に装着したとき皮膚に接するように筐体１７に取付けられている。生体情報としては、体内水分量、体温、生体インピーダンス、脈拍、血圧、心拍数、発汗量が挙げられ、センサ２０は、取得する生体情報に適したものが使用される。センサ２０は、１種類の生体情報を取得可能に、あるいは２種以上の生体情報を取得可能に構成されていてもよい。センサ２０の個数も１個に限定されるものではなく、２個以上のセンサで構成されていてもよい。
【００１９】
判定手段２４は、センサ２０が取得する生体情報と予め設定された生体情報の閾値とを比較し身体の異常の有無を判定する。例えば、体内水分と脱水症との関係に基づき脱水症の有無を判定する。この他、生体インピーダンスと脱水症との関係に基づき脱水症の有無を判断し、あるいは体温、発汗量等と熱中症との関係に基づき熱中症の有無を判定する。
【００２０】
判定手段２４は、身体の異常有無を判定するとき生体情報と閾値とからそのレベルを判定するようにするのが好ましい。例えば、熱中症であれば「運動は原則禁止」、「厳重警戒」、「警戒」、「注意」、「ほぼ安全」のように判定する。身体の異常有無は、生体情報そのものであってもよく、これには体温、血圧等が該当する。
【００２１】
警報手段２５は、ブザー２５であり、判定手段２４が異常の判定をするとブザー２５が鳴動する。警報手段２５は、判定手段２４が異常の判定をするとそれを作業者２０１に知らしめるためのものであり、ブザーの他にバイブレータ、光等を使用することができる。
【００２２】
通信手段２６は、異常判定結果を管理サーバー３１に送信する。具体的には、判定手段２４が異常であるとの判定をすると通信手段２６は、位置情報取得手段２７から現在位置を取得し、異常検知装置１１の識別番号と異常判定結果と位置情報とを紐付けして管理サーバー３１に送信する。
【００２３】
位置情報取得手段２７は、ＧＰＳを備え、位置情報を出力可能に構成される。制御手段２８は、メモリ（図示省略）に格納された制御手順に基づき各手段の動作を制御する。
【００２４】
本実施形態では、腕時計タイプの異常検知装置１１を示したが、異常検知装置１１の形態はこれに限定されるものではない。第２実施形態に示すネックレスタイプ、胸に取付け使用する胸バンドタイプのものであってもよい。異常検知装置１１は、センサ２０を介して作業者２０１の生体情報をきちんと取得できることが必要なことは当然であるが、作業者２０１が装着し使用するものであるから、作業の邪魔にならず、着脱が簡単なものが好ましい。
【００２５】
管理サーバー３１は、異常検知装置１１、管理者２１１が所持する管理者端末５１、作業責任者２２１が所持する作業責任者端末６１、作業者２０１が所持する作業者携帯端末７１とネットワーク１０１を介してデータを送受信可能に接続し、異常判定結果の受送信、体調確認メールの自動送信等を行う。
【００２６】
管理サーバー３１は、機能的には、データ等の入力を行う入力手段３２と、結果等を表示する出力手段３３と、データの送受信を行う通信手段３４と、データ等を記憶する記憶手段３５と、連絡メール、体調確認メール等を作成するメール作成手段３６と、作業者２０１の異常の有無を判定する判定手段３７と、各手段の動作を制御する制御手段３８とを備える（図３（Ａ）参照）。
【００２７】
記憶手段３５は、各種処理を行うためのプログラム、データ、メールのひな型、データ入力画面、データベース等を格納する。図４にデータベースの一例を示す。ここに示すデータベースは、作業者情報データベースであり、作業者２０１の氏名、所属、作業者２０１が所持する異常検知装置１１の識別番号、作業者２０１が所持する携帯端末７１の識別番号、メールアドレス、電話番号、作業予定日時、作業場所及び作業内容が記録され、連絡メール、体調確認メール等に使用される。
【００２８】
データベースへのデータ入力は、記憶手段３５に格納されているデータ入力画面を使用して行われる。管理サーバー３１からデータ入力画面を読み出し、入力手段３２を介してデータを入力することができる他、管理者端末５１、作業責任者端末６１、作業者携帯端末７１から管理サーバー３１にアクセスし、データ入力画面を読み出し、各端末からデータを入力可能に構成される。
【００２９】
メール作成手段３６は、連絡メールと体調確認メールとを作成する。連絡メールは、管理者端末５１及び作業責任者端末６１に作業者の身体異常情報を送信するための電子メールである。連絡メールのひな型の一例を図３（Ｂ）に示す。一方、体調確認メールは、作業者２０１の体調を確認するために使用される電子メールであり、「異常なし」、「異常あり」を選択し返信できるように構成される。
【００３０】
メール作成手段３６は、異常検知装置１１から異常判定の結果を受信すると、記憶手段３５から連絡メールのひな型を読み出し、管理者端末５１及び作業責任者端末６１に作業者２０１の身体異常情報を送信するための連絡メールを作成する。一方、体調確認メールは、体調管理システム１が起動すると作業時刻をベースとして定期的に作成される。
【００３１】
判定手段３７は、体調確認メールを作業者２０１に送信した後、所定の時間が経過しても返信メールを受信しないとき、又は体調確認メールに対して「異常あり」が選択され返信されたときに作業者２０１の身体が異常であると判定する。
【００３２】
管理者端末５１、作業責任者端末６１は、いずれもネットワーク１０１を介して管理サーバー３１、さらには作業者携帯端末７１とデータを送受信可能に接続する。このデータには電子メールも含まれる。管理者端末５１及び作業責任者端末６１は、携帯端末であってもよく、管理サーバー３１から電子メールを受信すると直ちに受信したことを知らしめるブザー、バイブレータ、発光装置等からなる報知手段を備える。また管理者端末５１、作業責任者端末６１は、管理サーバー３１にアクセスし、データ入力画面を読み出し、データを入力可能な機能を備える。
【００３３】
作業者携帯端末７１は、ネットワーク１０１を介して管理サーバー３１、さらには管理者端末５１、作業責任者端末６１とデータを送受信可能に接続する。このデータには電子メールも含まれる。作業者携帯端末７１は、管理サーバー３１にアクセスし、データ入力画面を読み出し、データを入力可能な機能の他に電話機能を備える。
【００３４】
図５は、本発明の第１実施形態の体調管理システム１の処理の流れを示すフローチャートである。管理サーバー３１が備える作業者情報データベースには、複数人の作業者情報が入力済である。ステップＳ１からステップＳ１０までの判断の組合せや順序は一例であり、変更してもよい。
【００３５】
管理サーバー３１は、異常検知装置１１からのデータ送信を監視する（ステップＳ１）。異常検知装置１１は、センサ２０を介して生体情報を取得し（ステップＳ２）、作業者２０１の身体が異常であると判定すると（ステップＳ３）、直ちに位置情報取得手段２７から現在位置を取得し、異常検知装置１１の識別番号と異常判定結果と位置情報とを紐付けして管理サーバー３１に自動送信する（ステップＳ４）。
【００３６】
管理サーバー３１は、異常検知装置１１からデータを受信すると、直ちに、記憶手段３５から連絡メールのひな型を読み出し、異常検知装置１１からのデータを元に作業者２０１の身体異常情報を送信するための連絡メールを作成し、管理者端末５１及び作業責任者端末６１に自動送信する（ステッップＳ５）。
【００３７】
管理者端末５１及び作業責任者端末６１は、管理サーバー３１から連絡メールを受信すると報知手段を介して直ちに受信したことを知らしめる（ステップＳ６）。管理サーバー３１から送信される連絡メールには、「作業者身体異常情報」として、作業者２０１の氏名、所属、身体異常情報、作業場所、作業予定日時、作業者携帯端末７１の電話番号、電子メールアドレスが記載されているため必要に応じて作業者２０１に連絡することができる。
【００３８】
管理サーバー３１は、異常検知装置１１が送信するデータの監視と平行して、作業者２０１に対して体調確認メールを送信する。具体的には、作業者情報データベースを読み出し、作業予定日時に該当する作業者２０１をピックアップする（ステップＳ７）。作業開始予定時刻をスタートとし、以降、所定の時間間隔でピックアップした全ての作業者２０１に対して、体調確認メールを一斉に自動送信する（ステップＳ８、ステップＳ９）。管理サーバー３１は、体調確認メールを送信後、所定時間内に返信メールを受信したか確認する（ステップＳ１０）。
【００３９】
管理サーバー３１は、所定時間内に返信メールを受信しなかったときは、作業者２０１の身体に異常が発生していると判断し、作業者２０１の身体異常情報を送信するための連絡メールを作成し、管理者端末５１及び作業責任者端末６１に自動送信する（ステップＳ５）。管理サーバー３１は、体調確認メールに対して「異常あり」が選択され返信されたときも前記と同様に管理者端末５１及び作業責任者端末６１に身体異常情報の連絡メールを自動送信する（ステッップＳ５）。このとき連絡メールの「身体異常」欄には、「体調確認メールに返信なし」又は「体調異常」とする。
【００４０】
以上のように第１実施形態の体調管理システム１は、作業者２０１の身体が異常であるか否か判定し、異常であると判定すると作業者２０１のみならず管理者２１１及び作業責任者２２１にも異常情報を添付して連絡するので、管理者２１１及び作業責任者２２１が作業者２０１の体調を把握できる。これにより管理者２１１又は作業責任者２２１は、電話等で作業の中断など適切な指示をすることができる。
【００４１】
さらに第１実施形態の体調管理システム１は、管理サーバー３１が定期的に作業者２０１に対して体調確認メールを自動送信し、その返信メールから作業者２０１の身体の異常を判断するように構築されている。
【００４２】
このように第１実施形態の体調管理システム１は、異常検知装置１１とは別に作業者２０１の身体の異常を確認する手段を備えるので、異常検知装置１１に不具合が発生しても熱中症や脱水症など作業者２０１の身体異常を効果的に防ぎ、また体調を管理することができる。第１実施形態の体調管理システム１は信頼性の高い体調管理システムと言える。
【００４３】
図６は、本発明の第２実施形態の体調管理システム２の構成を示す模式図である。図７は、体調管理システム２で使用する管理サーバー３１が備えるデータベースの一例、図８は、体調管理システム２で使用するメールひな型の一例である。図９は、本発明の第２実施形態の体調管理システム２の処理の流れを示すフローチャートである。図１から図５に示す本発明の第１実施形態の体調管理システム１と同一の構成には同一の符号を付して説明を省略する。
【００４４】
本発明の第２実施形態の体調管理システム２は、本発明の第１実施形態の体調管理システム１と基本構成を同じくするが、異常検知装置１２の構造及び体調確認メールの取り扱い等が異なる。以下、第１実施形態の体調管理システム１と異なる部分を中心に説明する。
【００４５】
第２実施形態の体調管理システム２で使用する異常検知装置１２は、センサ２０と、本体１５が分離しており、これらは通信線で結ばれている。センサ２０は、ネックレスのように首から掛けて使用する。センサ２０と本体１５を分離することでセンサ２０周辺が簡素化され、作業者２０１の身体に確実に密着させることができる。
【００４６】
異常検知装置１２の本体１５の構成は、第１実施形態の異常検知装置１１の本体１５と基本的に同じであるが、異常検知装置１２は位置情報取得手段２７を備えていない。また異常検知装置１１は、異常判定結果を管理サーバー３１に送信するが、異常検知装置１２は、異常判定結果を作業者携帯端末７１に送信するように構成される。異常検知装置１２と作業者携帯端末７１とは近距離にあるので、通信手段２６に小出力のものを使用することができる。これらより異常検知装置１２を小型化することが可能となる。
【００４７】
体調管理システム２で使用する作業者携帯端末７２は、体調管理システム１で使用する作業者携帯端末７１が備える機能の他に通信機能及びＧＰＳを備える。作業者携帯端末７２は、異常検知装置１２からの異常判定結果を受信すると、ＧＰＳから現在位置を取得し、異常検知装置１２の識別番号と異常判定結果と位置情報とを紐付けして管理サーバー３１に送信する。
【００４８】
後述の通り、第２実施形態の体調管理システム２の処理の流れは、第１実施形態の体調管理システム１の処理の流れと基本的に同じであれるが、新たに同じ日時に同じ場所で作業する作業員２０１をグループ化し処理する考え方が導入されている点で異なる。これに伴い、管理サーバー３１の記憶手段３５には、作業者情報データベースとしてグループ項目が設けられている（図７参照）。グループ項目のデータも管理者端末５１、作業責任者端末６１、あるいは作業者携帯端末７１から入力可能に構成される。
【００４９】
第２実施形態の体調管理システム２では、同じ日時に同じ場所で作業する作業員２０１をグループ化することで、体調確認メールの効率化を図っている。２人以上の作業者２０１が同じ日時に同じ場所で共同作業を行うとき、一人の作業者２０１が手空きで、他の全作業者２０１が作業中である場合がある。このような場合に体調確認メールに対して、手空きの作業者２０１が他の作業者２０１に体調を確認し、全員の体調が良好であればその旨を返信すれば、作業を中断することなく体調確認が行える。
【００５０】
このため第２実施形態の体調管理システム２では、グループを構成する作業員２０１（グループ員）に向けて送信する体調確認メールに全グループ員の体調に異常がないことを返信するための項目が設けられている（図８（Ａ）参照）。管理サーバー３１は、グループ員の一人から「全グループ員の体調に異常がない」との返信メール（以下、グループ返信メール）を受信すると、このグループ返信メールにより他のグループ員から「体調異常なし」の返信メールを受領したものと取り扱う。グループ返信メールは、「全グループ員の体調に異常がない」との内容のメールのみである。
【００５１】
第２実施形態の体調管理システム２では、単独で作業する作業員２０１に対してもグループ員に向けて送信する体調確認メールと同じ型式の体調確認メールが使用されるが、単独で作業する作業員２０１に対しては、グループ返信メールの欄に氏名が記載されていない（図８（Ｂ）参照）。このようにグループ以外の作業者２０１に対しても同じ型式の体調確認メールを送信することで体調確認メールの作成の負担を軽減することができる。
【００５２】
第２実施形態の体調管理システム２において、管理サーバー３１は、グループ返信メールを受信したときにグループ員全員から体調確認の返信メールを受領したものとして取り扱うが、グループ員（作業者２０１）から個別の返信メールを受信したときはその返信メールをグループ返信メールよりも優先させる。つまり管理サーバー３１は、グループ返信メールを受信後、グループ員から個別の返信メールで「体調異常あり」のメールを受信するとその作業者２０１は、「体調異常あり」として取り扱う。
【００５３】
管理サーバー３１は、記憶手段３５に格納される作業者情報データベース（図７参照）から作業者２０１をグループ化する。このような場合、グループ員が当初予定した作業者２０１と異なることがあり得る。この場合には、グループ返信メールは当然に返信されず個別メールが使用される。よってグループ状況、グループ員の構成が変わっても問題ない。
【００５４】
図９は、本発明の第２実施形態の体調管理システム２の処理の流れを示すフローチャートである。管理サーバー３１が備える作業者情報データベースには、複数人の作業者情報が入力済である。ステップＳ１１からステップＳ２１までの判断の組合せや順序は一例であり、変更してもよい。
【００５５】
管理サーバー３１は、作業者携帯端末７２からのデータ送信を監視する（ステップＳ１１）。異常検知装置１２は、センサ２０を介して生体情報を取得し（ステップＳ１２）、作業者２０１の身体が異常であると判定すると（ステップＳ１３）、直ちに異常検知装置１２の識別番号と異常判定結果とを紐付けして作業者携帯端末７１に自動送信する（ステップＳ１４）。
【００５６】
作業者携帯端末７２は、異常検知装置１２から異常判定結果を受信すると直ちにＧＰＳから位置情報を取得し、これらを紐付けし、管理サーバー３１に自動送信する（ステップＳ１５）。管理サーバー３１は、作業者携帯端末７２から異常判定結果を受信すると、直ちに、記憶手段３５から連絡メールのひな型を読み出し、異常検知装置１２からのデータを元に作業者２０１の身体異常情報を送信するための連絡メールを作成し、管理者端末５１及び作業責任者端末６１に自動送信する（ステッップＳ１６）。
【００５７】
管理者端末５１及び作業責任者端末６１は、管理サーバー３１から連絡メールを受信すると報知手段を介して直ちに受信したことを知らしめる（ステップＳ１７）。管理サーバー３１から送信される連絡メールには、「作業者身体異常情報」として、作業者２０１の氏名、所属、身体異常情報、作業場所、作業予定日時、作業者携帯端末７２の電話番号、電子メールアドレスが記載されているため必要に応じて作業者２０１に連絡することができる（図３（Ｂ）参照）。
【００５８】
管理サーバー３１は、作業者携帯端末７２が送信するデータの監視と平行して、作業者２０１に対して体調確認メールを送信する。具体的には、作業者情報データベースを読み出し、作業予定日時に該当する作業者２０１をピックアップする。このとき作業者情報データベースを元に同じ日時に同じ場所で作業する作業員２０１がいるか確認し、同じ日時に同じ場所で作業する作業員２０１がいるときはこれをグループ化する（ステップＳ１８）。
【００５９】
管理サーバー３１は、作業開始予定時刻をスタートとし、以降、所定の時間間隔でピックアップした全ての作業者２０１に対して、体調確認メールを一斉に自動送信する（ステップＳ１９、ステップＳ２０）。
【００６０】
管理サーバー３１は、体調確認メールを送信後、所定時間内に返信メールを受信したか確認する（ステップＳ２１）。管理サーバー３１は、所定時間内に返信メールを受信しなかったときは、作業者２０１の身体に異常が発生していると判断し、作業者２０１の身体異常情報を送信するための連絡メールを作成し、管理者端末５１及び作業責任者端末６１に自動送信する（ステッップＳ１６）。
【００６１】
管理サーバー３１は、体調確認メールに対して個別メールにて「異常あり」が選択され返信されたときも前記と同様に管理者端末５１及び作業責任者端末６１に身体異常情報の連絡メールを自動送信する（ステッップＳ１６）。このとき連絡メールの「身体異常」欄には、「体調確認メールに返信なし」又は「体調異常」とする。
【００６２】
管理サーバー３１は、グループ返信メールを受信したときは、そのグループ員から「異常なし」の個別メールを受信しなくても、そのグループ員から「異常なし」の個別メールを受信したものとして取り扱う。
【００６３】
以上のように第２実施形態の体調管理システム２は、作業者２０１の身体が異常であるか否か判定し、異常であると判定すると作業者２０１のみならず管理者２１１及び作業責任者２２１にも異常情報を添付して連絡するので、管理者２１１及び作業責任者２２１が作業者２０１の体調を把握できる。これにより管理者２１１又は作業責任者２２１は、電話等で作業の中断など適切な指示をすることができる。
【００６４】
さらに第２実施形態の体調管理システム２は、管理サーバー３１が定期的に作業者２０１に対して体調確認メールを自動送信し、その返信メールから作業者２０１の身体の異常を判断するように構築されている。さらにグループ化の考え方が導入されているので効率的に作業者２０１の体調管理を行うことができる。
【００６５】
このように第２実施形態の体調管理システム２は、異常検知装置１２とは別に作業者２０１の身体の異常を確認する手段を備えるので、異常検知装置１２に不具合が発生しても熱中症や脱水症など作業者の身体異常を効果的に防ぎ、また体調を管理することができる。第２実施形態の体調管理システム２は信頼性の高い体調管理システムと言える。
【００６６】
以上、第１及び第２実施形態の体調管理システム１、２を用いて本発明に係る体調管理システムを説明したが、本発明に係る体調管理システムは上記実施形態に限定されるものではなく、要旨を変更しない範囲で変更して使用することができる。
【００６７】
第２実施形態の体調管理システム２では、異常検知装置１２がセンサ２０と本体１５とに分離された異常検知装置を使用するが、第１実施形態の異常検知装置１１と同様にセンサ２０と本体１５とが一体化されていてもよい。また第２実施形態の体調管理システム２において、第１実施形態の異常検知装置１１と同様に異常検知装置１２が位置情報取得手段であるＧＰＳを備えていてもよい。
【００６８】
またセンサ２０の取付け箇所も腕、首、胸に限定されるものでなく足であってもよい。センサ２０の取付け箇所は、生体情報を取得し易く、また作業の邪魔にならない箇所であればよい。
【００６９】
図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００７０】
１、２  体調管理システム
１１、１２  異常検知装置
２０  センサ
２４  判定手段
２５  ブザー
２６  通信手段
２７  位置情報取得手段
２８  制御手段
３１  管理サーバー
３４  通信手段
３６  メール作成手段
３７  判定手段
５１  管理者端末
６１  作業責任者端末
７１、７２  作業者携帯端末
１０１  ネットワーク
２０１  作業者
２１１  管理者
２２１  作業責任者
【図１】
2019208926.tif 000003
【図２】
2019208926.tif 000004
【図３】
2019208926.tif 000005
【図４】
2019208926.tif 000006
【図５】
2019208926.tif 000007
【図６】
2019208926.tif 000008
【図７】
2019208926.tif 000009
【図８】
2019208926.tif 000010
【図９】
2019208926.tif 000011